(57)【要約】【課題】揚水機能を確実に果たすことができ、しかも、シンプルな構造であり余分な手間が掛からず製作も簡単であって、これにより制作費も低廉に成し得るようにした地中の保水構造及び該保水構造に用いる保水構造体を提供する。【解決手段】透水性の表面層１と該表面層１の下層に重ねて敷設され貯水空間部３を有する空間形成部材層２とからなる地中の保水構造であって、表面層１の裏面１ｂに下方へ突出しかつ空間形成部材層２内の貯水空間部３に貯留される雨水Ｒに浸かる導水脚部６を一体に成形し、各導水脚部６によって揚水された雨水Ｒを透水性の表面層１の表面１ａから蒸発させるようにした。【選択図】図１
2012184619.tif 000002
【特許請求の範囲】
【請求項１】
透水性の表面層と該表面層の下層に重ねて敷設され貯水空間部を有する空間形成部材層とからなる地中の保水構造であって、
前記表面層の裏面に下方へ突出しかつ前記空間形成部材層内の貯水空間部に貯留される雨水に浸かる導水脚部を一体に成形し、前記各導水脚部によって揚水された雨水を前記透水性の表面層の表面から蒸発させるようにしたことを特徴とする地中の保水構造。
【請求項２】
透水性の表面層と該表面層の下層に重ねて敷設され貯水空間部を有する空間形成部材層とからなる地中の保水構造であって、
前記表面層が多数の透水性ブロックを並設して構成され、前記各透水性ブロックの裏面に下方へ突出しかつ前記空間形成部材層内の貯水空間部に貯留される雨水に浸かる導水脚部を一体に成形し、前記各導水脚部によって揚水された雨水を前記各透水性ブロックの表面から蒸発させるようにしたことを特徴とする地中の保水構造。
【請求項３】
透水性の表面層と該表面層の下層に重ねて敷設され貯水空間部を有する空間形成部材層とからなる地中の保水構造であって、
前記表面層が多数の透水性ブロックを並設して構成され、前記各透水性ブロックはゴムチップ単体を積層しこれらをバインダーにより結合して形成され内部に表面から裏面に達し連通する無数の空隙を有し、前記空間形成部材層は硬質合成樹脂製の多数本のモノフィラメントをそれぞれランダムなループ状に堆積して平板状に形成され、前記各透水性ブロックの裏面に下方へ突出する導水脚部を一体に成形し、前記空間形成部材層の表面には前記導水脚部が介入する凹窪部を設け、前記導水脚部が前記凹窪部に介入した状態で前記空間形成部材層内の貯水空間部に貯留された雨水に浸かり、前記導水脚部によって揚水された雨水を前記各透水性ブロックの表面から蒸発させるようにしたことを特徴とする地中の保水構造。
【請求項４】
透水性の表面層を形成する透水性ブロックと該透水性ブロックの下側に重ねられ空間形成部材層を形成する空間形成部材とからなり、前記透水性ブロックの裏面に下方へ突出しかつ前記空間形成部材内の貯水空間部に貯留される雨水に浸かる導水脚部を一体に成形し、前記導水脚部によって揚水された雨水を前記各透水性ブロックの表面から蒸発させるようにしたことを特徴とする保水構造体。
【発明の詳細な説明】
【技術分野】
【０００１】
本発明は、広場、歩道、公園、グランド等の各種施設における地面に敷設され、暑い夏季には地中に溜まる雨水を揚水し表面から蒸発させてその表面を冷やすことができるようにした地中の保水構造及び該保水構造に用いる保水構造体に関するものである。
【背景技術】
【０００２】
一般の都市部の道路は、車道は勿論のこと歩道までもそれら地面にほとんどアスファルトまたはコンクリートが敷かれ整備されている。このように、地面にアスファルトやコンクリートが敷かれていると、暑い夏の季節にあっては日中の直射日光がそれらアスファルトやコンクリートの表面に当たりその照り返しによる熱が強いばかりか、夜間においてもその熱が放出され続けて周囲の温度が高く維持され簡単に冷めるようなことがない。そして、このような温度の異常な上昇がヒートアイランド現象の一要因になっている。
【０００３】
そこで、前記ヒートアイランド現象を少しでも抑えようとして、例えば特許文献１に示すような地中の保水構造が開発されている。該地中の保水構造は複数の保水構造体からなり、各保水構造体は上面が開放される箱状の貯水ユニットとその上面に被さる保水性ブロックとから概ね構成される。貯水ユニット内には雨水が貯められるようになっており、該貯水ユニット内の底面に、保水性ブロックを下から支持する複数の補強板が配設されると共に保水性ブロックの裏側に貯水される水を保水性ブロックへと揚水するための導水性部材が配設されている。保水性ブロックは透水性を有し、その中央に常には蓋が被せられる圧力調整孔が貫設されている。
【先行技術文献】
【特許文献】
【０００４】
【特許文献１】特開２００９−１９７３８８号公報（第９−１８頁、図１）
【発明の概要】
【発明が解決しようとする課題】
【０００５】
しかしながら、前記特許文献１に係る地中の保水構造における保水構造体にあっては、導水性部材が保水性ブロックとは別部材により形成され、その上端面を保水性ブロックの裏面に接触させるようにしている。このため、例えば該導水性部材が不織布の場合、その上端面と保水性ブロックの裏面との接触が不十分なものとなり易く、安定した揚水機能を維持することが難しい。仮に、前記導水性部材の上端面と保水性ブロックの裏面との接触状態が悪いと、揚水機能が低下してしまうといった危険性がある。
【０００６】
また、箱状の貯水ユニット内には複数の補強板が設けられ、保水性ブロックの裏面に該保水性ブロックとは素材の異なる複数の導水性部材を配設し、保水性ブロックにあっては常には蓋が被せられる圧力調整孔を貫設するなど全体的に構造が複雑化している。特に、必要な揚水力を得るために何本もの導水性部材を保水性ブロックの裏面に配設しなければならないとすれば、余分な手間が掛かり制作上面倒であるばかりか、制作費も高くなるといった課題が有る。
【０００７】
そこで、本発明は上記課題を解決すべくなされたもので、揚水機能を確実に果たすことができ、しかも、シンプルな構造であり余分な手間が掛からず製作も簡単であって、これにより制作費も低廉に成し得るようにした地中の保水構造及び該保水構造に用いる保水構造体を提供することを目的とするものである。
【課題を解決するための手段】
【０００８】
かかる目的を達成するため本発明の地中の保水構造は、透水性の表面層と該表面層の下層に重ねて敷設され貯水空間部を有する空間形成部材層とからなる地中の保水構造であって、前記表面層の裏面に下方へ突出しかつ前記空間形成部材層内の貯水空間部に貯留される雨水に浸かる導水脚部を一体に成形し、前記各導水脚部によって揚水された雨水を前記透水性の表面層の表面から蒸発させるようにしたことを特徴とする。
【０００９】
また、本発明の地中の保水構造は、透水性の表面層と該表面層の下層に重ねて敷設され貯水空間部を有する空間形成部材層とからなる地中の保水構造であって、前記表面層が多数の透水性ブロックを並設して構成され、前記各透水性ブロックの裏面に下方へ突出しかつ前記空間形成部材層内の貯水空間部に貯留される雨水に浸かる導水脚部を一体に成形し、前記各導水脚部によって揚水された雨水を前記各透水性ブロックの表面から蒸発させるようにしたことを特徴とする。
【００１０】
更に、本発明の地中の保水構造は、透水性の表面層と該表面層の下層に重ねて敷設され貯水空間部を有する空間形成部材層とからなる地中の保水構造であって、前記表面層が多数の透水性ブロックを並設して構成され、前記各透水性ブロックはゴムチップ単体を積層しこれらをバインダーにより結合して形成され内部に表面から裏面に達し連通する無数の空隙を有し、前記空間形成部材層は硬質合成樹脂製の多数本のモノフィラメントをそれぞれランダムなループ状に堆積して平板状に形成され、前記各透水性ブロックの裏面に下方へ突出する導水脚部を一体に成形し、前記空間形成部材層の表面には前記導水脚部が介入する凹窪部を設け、前記導水脚部が前記凹窪部に介入した状態で前記空間形成部材層内の貯水空間部に貯留された雨水に浸かり、前記導水脚部によって揚水された雨水を前記各透水性ブロックの表面から蒸発させるようにしたことを特徴とする。
【００１１】
ここで、本発明の保水構造体は、透水性の表面層を形成する透水性ブロックと該透水性ブロックの下側に重ねられ空間形成部材層を形成する空間形成部材とからなり、前記透水性ブロックの裏面に下方へ突出しかつ前記空間形成部材内の貯水空間部に貯留される雨水に浸かる導水脚部を一体に成形し、前記導水脚部によって揚水された雨水を前記各透水性ブロックの表面から蒸発させるようにしたことを特徴とする。
【発明の効果】
【００１２】
本発明に係る地面の保水構造は、透水性の表面層と該表面層の下層に重ねて敷設され貯水空間部を有する空間形成部材層とからなる地中の保水構造であって、前記表面層の裏面に下方へ突出しかつ空間形成部材層内の貯水空間部に貯留される雨水に浸かる導水脚部を一体に成形し、該各導水脚部によって揚水された雨水を前記透水性の表面層の表面から蒸発させるようにした。このように、表面層の裏面に雨水を揚水するための導水脚部を該表面層と一体に成形したので、該導水脚部を通して揚水が確実に行なえるという効果を奏する。
【００１３】
また、透水性の表面層を複数の透水性ブロックにより形成し、空間形成部材層を空間形成部材により形成するようにすれば、透水性ブロックの裏面に空間形成部材を重ね合わせるのみで保水構造体が形成される。よって、該保水構造体がシンプルな構造となり余分な手間が掛からず製作も簡単である。これにより、制作費も低廉に成し得るという効果を奏する。
【００１４】
更に、保水構造体がゴムチップ単体を積層して構成されていると、弾力性があり、保水構造体を広場、歩道、公園、グランド等の各種施設に利用した場合には、踏み心地が良く、走ったり歩いたりするに快適である。
【図面の簡単な説明】
【００１５】
【図１】本発明に係る地中の保水構造の断面図。
【図２】同施工方法を説明する保水構造の一部の斜視図。
【図３】本発明に係る保水構造体の斜視図。
【図４】同分解斜視図。
【図５】同横断面図。
【図６】同保水構造体を用いた地中の保水構造の断面図。
【図７】同側溝を付設した保水構造の断面図。
【図８】他の保水構造体を用いた地中の保水構造の断面図。
【図９】他の地中の保水構造の断面図。
【図１０】空間形成部材を成形する製造装置の概略図。
【図１１】他の空間形成部材を成形する製造装置の概略図。
【発明を実施するための形態】
【００１６】
以下、本発明に係る地中の保水構造及び該保水構造に用いる保水構造体の最良の実施の形態を図面に基き詳しく説明する。本発明に係る地中の保水構造は、例えば広場、歩道、公園、グランド等の各種施設に適用可能であるが、本発明にあってはそのうち広場に適用される場合について説明する。図１は、本発明に係る地中の保水構造の断面図である。
【００１７】
まず、地中の保水構造について説明する。広場であって、保水構造とする範囲に亘り地面を少し掘り下げ、その中に生コンクリートやモルタルを打設して下地Ｈを形成する。この際、その周囲には少し丈を高くした畝（図示せず。）を立ち上げ囲うようにしておく。このように、畝によって囲われることにより、生コンクリートやモルタルが打設された部位には雨水が溜まることになる。ただ、低い位置で自然と雨水が溜まるような場所であれば、強いて生コンクリートやモルタルを打設することなく、地面を均すと共に細かい砂により下地Ｈを形成するようにしても良い。
【００１８】
次に、前記下地Ｈの上面に地中の保水構造が施工されることになる。すなわち、該地中の保水構造は、表面が露出する透水性の表面層１と該表面層１の下層に重ねて敷設される空間形成部材層２とからなる。該空間形成部材層２には、その内部に雨水Ｒを貯留する貯水空間部３が形成される。表面層１は、例えば透水性アスファルトを打設して形成される。透水性アスファルトは、アスファルト成分を少なくし、骨材同士を点接着させ間隔を設けてその間を水が透過するように構成したものである。
【００１９】
透水性アスファルトを形成する前に、下地Ｈの上面に空間形成部材層２を敷設することになる。該空間形成部材層２は、例えば硬質合成樹脂製の多数本のモノフィラメントをそれぞれランダムなループ状に堆積して平板状に形成した空間形成部材２ａからなる。更に詳しく説明すると、図１０は空間形成部材を成形する製造装置の概略図であって、図中、２０は溶融したモノフィラメントを紡出するための紡出機である。そして、太径のノズル孔を有する複数の太径ノズル２１ａと細径のノズル孔を有する複数の細径ノズル２１ｂとを備え、太径ノズル２１ａの両側に細径ノズル２１ｂが所定の間隔離して配置され３列に縦列するような位置に設けられている。前記紡出機２０の下方には水を張った貯水槽２２が配設され、その中に前記太径ノズル２１ａ、両細径ノズル２１ｂ，２１ｂに対応位置させて一対の受けロール２３，２３が配置される。２４ａ，２４ｂは、前記貯水槽２２の内側と外側にそれぞれ配置された搬送コンベアである。
【００２０】
そこで、前記紡出機２０の各太径ノズル２１ａとその両側の各細径ノズル２１ｂとからそれぞれ紡出させた太径・細径モノフィラメント２５ａ，２５ｂを、下方の貯水槽２２内の水中に落とし込む。本発明にあっては、太径・細径モノフィラメント２５ａ，２５ｂとして硬質合成樹脂、例えばポリプロピレン樹脂が使用される。この際、貯水槽２２の水中に落とし込まれた各太径・細径モノフィラメント２５ａ，２５ｂは、それぞれほぼ同じ大きさであり平面略円形状となるように螺旋状に巻かれる。これら円形部の大きさは、太径ノズル２１ａまたは細径ノズル２１ｂの直径、太径ノズル２１ａと細径ノズル２１ｂから水面までの距離、太径・細径モノフィラメント２５ａ，２５ｂの温度などによって決定される。
【００２１】
そして、前記各太径モノフィラメント２５ａにより筒状空洞部を複数本列設した筒状空洞層部４が形成されることとなり、これを両細径モノフィラメント２５ｂ，２５ｂと共に一対の受けロール２３，２３間に通す。これら一対の受けロール２３，２３の間隔は、所定の厚み、すなわち、各太径モノフィラメント２５ａにより形成される略円形の形状が潰れない程度の寸法に設定してある。よって、複数の筒状空洞部が列設される筒状空洞層部４の両側面に各細径モノフィラメント２５ｂがループ状のまま潰れた状態で堆積し被覆層部５を形成している。一対の受けロール２３，２３を通過した後、搬送コンベア２４ａ，２４ｂに排出させ所定の大きさであって平面方形状に切断する。ただ、空洞形成部材２ａの表面に表面層１の裏面に突出する導水脚部６が嵌る凹窪部７を形成する必要があるので、前記複数の太径ノズル２１ａからすべて太径モノフィラメント２５ａを紡出するのではなく、所定の間隔を離した位置の太径ノズル２１ａからは太径モノフラメント２５ａの紡出を止めておく。すなわち、平面方形状の空間形成部材２ａにあって、図２に示すように両側端からそれぞれ３本目の筒状空洞部はなく、表面の被覆層部５が窪んでいる。
【００２２】
各太径モノフィラメント２５ａにより形成される筒状空洞部はその長手方向に沿ってほとんど障害物がなく、筒状空洞層部４における太径モノフィラメント２５ａによりできる隙間は比較的広く形成される。一方、被覆層部５は各細径モノフィラメント２５ｂにより形成されていることから、太径モノフィラメント２５ａの場合に比べ略円形部の半径が小さく、しかも、長手方向に沿って幾重にも平坦に潰れて重なっており、各細径モノフィラメント２５ｂ間にできる隙間は比較的狭い。
【００２３】
このようにして形成される空間形成部材２ａは、多数本の太径モノフィラメント２５ａをランダムなループ状に堆積して筒状空洞部が列設して平板状に形成される筒状空洞層部４と、平板状の該筒状空洞層部４の表面と裏面とに前記太径モノフィラメント２５ａより細く同じく硬質合成樹脂製の細径モノフィラメント２５ｂがループ状のまま潰れた状態で堆積して覆う被覆層部５，５と、から構成されることになる。前記筒状空洞層部４には複数の筒状空洞部が列設されるが、このうち所定本数の間隔を離して、例えば両側端からそれぞれ３本目の筒状空洞部が形成されておらず、そこに一方の被覆層部５を潰して各筒状空洞部と平行で同じ幅の凹窪部７が形成される。筒状空洞層部４の内部、すなわち主として筒状空洞部の内部、に貯水空間部３が形成され雨水が貯留されることになる。
【００２４】
そこで、下地Ｈの表面に敷設するため所定の大きさに切断した空間形成部材２ａを該下地Ｈの表面に凹窪部７が連続するようにして配置し、その上面にネットまたは不織布といった目の細かい（例えば、目の大きさの一辺が０．６ｍｍ）柔軟性のある中間シート８を敷設して覆い、更にその上に例えば表面層１としてポーラスアスファルトといった透水性アスファルトを打設して固まらせる。この際、空間形成部材層２の各凹窪部７内にも透水性アスファルトが入り込むことになる。これによって、透水性アスファルトが固まった後に、表面層１の裏面に下方へ突出する導水脚部６，６が一体に成形されることになる。
【００２５】
施工後、降雨時に表面層１の表面１ａに落ちた雨水はその内部の空隙を通って下方へ浸み込み、裏面１ｂから空間形成部材２ａにより形成される貯水空間部３に貯留される。このとき、透水性アスファルトである表面層１の裏側の導水脚部６が雨水Ｒ内に浸かることになる。そこで、雨が止み外気が乾燥してくれば、各導水脚部６が溜まっている雨水を吸い上げ、空隙を通って揚水される。揚水された雨水Ｒは、表面層１の表面１ａから蒸発する。雨水が蒸発するとき蒸発潜熱が奪われ、これにより表面層１を安定して冷却できる。よって、夏の暑い季節にあって日中の直射日光が当たっても、空間形成部材層２の貯水空間部３に雨水Ｒが溜まっている限り、表面層１から雨水Ｒが蒸発し続け該表面層１を冷却するので、熱の放出がほとんどなくなり温度を下げることができる。このように、表面層１の裏面１ｂに導水脚部６が一体に形成されることにより、空間形成部材層２の貯水空間部３に貯留された雨水Ｒが各導水脚部６によって揚水され表面層１の表面１ａから蒸発するので、導水脚部６を通しての揚水が確実に行なえる。
【００２６】
表面層１は人が歩いたり走ったりすることから、その表面１ａに荷重が加わる。ところが、表面層１の裏側に空間形成部材層２が敷設されると共に表面層１から下方へ突出する導水脚部６の下端面が空間形成部材層２の凹窪部７の底面７ａに当たることから、これら空間形成部材層２と共に導水脚部６によって表面層１を下から支持することになる。よって、空間形成部材層２が押し潰されるようなことはなく、十分な広さの貯水空間部３が確保され、十分な量の雨水が貯留されることになる。
【００２７】
本発明にあっては、表面層１として透水性アスファルトを使用したが、これに限定されるものではなく透水性を備えたものであれば他の素材でも良い。空間形成部材層２として合成樹脂製のモノフィラメント２５ａ，２５ｂをループ状に堆積して形成した空間形成部材２ａを使用したが、これに限定されるものではない。例えば、空間形成部材２ａとして他の形状、例えば凹窪部７が形成されかつ合成樹脂製であって通水性を有する所定の大きさの方形枠を使用しても良い。また、空間形成部材２ａに形成される凹窪部７は、その底面に被覆層部５を残しているが、必要とあらば残さなくても良い。この場合は、空間形成部材２ａが各凹窪部７の位置で分断されることになるので、そのように空間形成部材２ａを下地Ｈの上面に配置しておく。更に、導水脚部６は長い突条であっても良く、またスポット的に位置する柱状であっても良い。
【００２８】
図３乃至図６に示した実施の形態は、下地Ｈの上面に保水構造体を並設し表面層１として多数の透水性ブロックを並設したものである。図３は本発明に係る保水構造体の斜視図、図４は同分解斜視図、図５は同横断面図、図６は同保水構造体を用いた地中の保水構造の断面図である。なお、この実施の形態にあっては本発明と構成が似ているので、同一部位は同一番号を附すことによって詳しい説明は省略する。保水構造体９は、板状の透水性ブロック１０と、該透水性ブロック１０の裏面に重ねて配置される空間形成部材２ａと、からなる。透水性ブロック１０は、粒径が２．５ｍｍ〜１０ｍｍとなるように細かく粉砕したゴムチップ単体１１とこれらを接着し固めるバインダーとしての糊状のウレタン樹脂とを混合して積層し、圧縮して成形される。
【００２９】
前記ゴムチップ単体１１としては、例えば廃タイヤを粉砕したり工業用廃ゴムチップなど使用済みの古いゴムチップが使用される。また、強度を持たせるためゴムチップ単体１１と共に例えば豆砂利を混入するようにしても良い。表面１０ａには、ウレタン樹脂塗料を吹付けておく。これは、人が歩いたり走ったりしたときに剥がれないように表面１０ａを保護するためである。そして、所定の大きさと所定の厚みを有するブロック体に形成する。例えば、平面が正方形、長方形、正三角形のものがあり、その他に正多角形のものを選ぶようにしても良い。本実施の形態では、平面が正方形のものについて説明する。
【００３０】
ゴムチップ単体１１は様々な形状、大きさがあるため、積層されるこれらゴムチップ単体１１間には狭い隙間が生じ、図５に示すように透水性ブロック１０の内部に表面１０ａから裏面１０ｂに達する空隙１２が形成される。そして、この空隙１２を伝わって透水性ブロック１０の上面側から下方へ雨水Ｒが浸透し、また、この空隙１２を伝って毛細管現象により透水性ブロック１０の下面側から雨水Ｒが揚水されることになる。
【００３１】
そして、前記透水性ブロック１０の裏面１０ｂには、両側縁とその間に所定の間隔離して２条の導水脚部６ａ，６ｂがそれぞれ設けられる。これら導水脚部６ａ，６ｂはいずれも透水性ブロック１０と一体に成形されるが、各導水脚部６ａ，６ｂは十分な揚水量が得られるように透水性ブロック１０の裏面１０ｂからの長さや幅が選ばれる。内側の両導水脚部６ｂ，６ｂの長手方向に対して直交する方向での幅は、空洞形成部材２ａにおける筒状空洞部の長手方向に対して直交する方向での幅とほぼ同じに設定される。また、これら導水脚部６ｂ，６ｂにおける透水性ブロック１０の裏面１０ｂからの長さは、その下端面が空洞形成部材２ａに形成される凹窪部７の底面７ａに達することが良い。このようにすれば、空洞形成部材２ａ内に貯留される雨水Ｒを十分に吸って揚水できることになる。これに対し、両外側の導水脚部６ａ，６ａはその長さが前記内側の導水脚部６ｂ，６ｂよりも少し長く、その下端面が下地Ｈの上面に直接接することになる。更に、この場合、各導水脚部６ａ，６ｂは透水性ブロック１０の補強材としても機能する。なお、導水脚部６ａ，６ｂとしては突条に成形したものを示したが、この他に例えばスポット的に円柱状または角柱状に形成しても良い。
【００３２】
空洞形成部材２ａについては前記のように説明したが、この場合、上面の被覆層部５が形成されていない。それ以外は、前記空間形成部材２ａと同じ構成からなる。このため、図１１に示すように空間形成部材の製造装置にあって、紡出機２０には太径ノズル２１ａと細径ノズル２１ｂとを備え、太径ノズル２１ａの一側に細径ノズル２１ｂが所定の間隔離して配置され２列に縦列するような位置に設けられている。そこで、紡出機２０の各太径ノズル２１ａとその一側の各細径ノズル２１ｂとからそれぞれ紡出させた太径・細径モノフィラメント２５ａ，２５ｂを、下方の貯水槽２２内の水の中に落とし込む。これにより、前記と同様に各太径モノフィラメント２５ａにより筒状空洞部が複数本列設した筒状空洞層部４が形成されることとなり、これを各細径モノフィラメント２５ｂと共に一対の受けロール２３，２３間に通す。
【００３３】
よって、複数の筒状空洞部が列設される筒状空洞層部４の一側面、この場合は裏側となる面に各細径モノフィラメント２５ｂがループ状のまま平坦に潰れた状態で堆積し被覆層部５を形成している。一対の受けロール２３，２３を通過した後、搬送コンベア２４ａ，２４ｂに排出させ所定の大きさであって平面方形状に切断する。ただ、空間形成部材２ａの表面に透水性ブロック１０における内側の両導水脚部６ｂ，６ｂが嵌る凹窪部７，７を形成する必要があることから、この場合も前記複数の太径ノズル２１ａからすべて太径モノフィラメント２５ａを紡出するのではなく、所定の間隔を離した位置の太径ノズル２１ａからは太径モノフラメント２５ａの紡出を止めておく。すなわち、平面方形状の空間形成部材２ａにあって、図４に示すように両側端からそれぞれ３本目の筒状空洞部はない。
【００３４】
このようにして形成される空間形成部材２ａは、多数本の太径モノフィラメント２５ａをランダムなループ状に堆積して筒状空洞部が列設して平板状に形成される筒状空洞層部４と、平板状の該筒状空洞層部４の裏面に前記太径モノフィラメント２５ａより細く同じく硬質合成樹脂製の細径モノフィラメント２５ｂがループ状のまま潰れた状態で堆積して覆う被覆層部５と、から構成されることになる。前記筒状空洞層部４には複数の筒状空洞部が列設されるが、このうち所定本数の間隔を離して、例えば両端側からそれぞれ３本目の筒状空洞部が形成されておらず、そこに各筒状空洞部と平行に同じ幅の凹窪部７が形成される。筒状空洞層部４の内部、すなわち主として筒状空洞部の内部、に貯水空間部３が形成され雨水Ｒが貯留されることになる。空間形成部材２ａは透水性ブロック１０の裏面１０ｂに重ねられることから、その平面の大きさは重ねられる透水性ブロック１０の形状より少し小さい。
【００３５】
そして、透水性ブロック１０の裏面１０ｂに、各凹窪部７が内側の両導水脚部６ｂ，６ｂに対応位置するようにして空間形成部材２ａを配置し、各凹窪部７に各導水脚部６ｂ，６ｂを嵌めて透水性ブロック１０の裏面１ｂに空間形成部材２ａを重ねる。これにより、保水構造体９が形成される。空間形成部材２ａにあって、筒状空洞層部４の裏面である一側面にのみ被覆層部５を形成するようにしたが、これはその表面に一部（この場合２本）の筒状空洞部を省きその位置に凹窪部７を設け易くするためである。よって、その表裏両側面に被覆層部５，５を形成して筒状空洞層部４を形成した場合は、後から所定の筒状空洞部に対応する部位の表側となる被覆層部５を外側から加圧することにより凹窪部７を形成する。
【００３６】
この場合は、図６に示すように、広場であって生コンクリートやモルタルを打設した下地Ｈの上面に、僅かな一定幅の隙間を開けながら保水構造体９を順に敷設する。そして、降雨時には保水構造体９における透水性ブロック１０の表面１０ａに落ちた雨水はその内部の空隙１２を通って下方へ浸み込み、裏面１０ｂから空間形成部材２ａにより形成される貯水空間部３に貯留される。このとき、透水性ブロック１０の裏側における外側の導水脚部６ａと内側の導水脚部６ｂが雨水Ｒ内に浸かることになる。雨が止み外気が乾燥してくれば、各透水性ブロック１０の各導水脚部６ａ，６ｂが溜まっている雨水を吸い上げ、空隙１２を通って揚水される。揚水された雨水Ｒは、透水性ブロック１０の表面１０ａから蒸発する。このように雨水Ｒが蒸発するとき蒸発潜熱が奪われ、これにより透水性ブロック１０を安定して冷却できる。よって、夏の暑い季節にあって日中の直射日光が当たっても、空間形成部材層２の貯水空間部３に雨水Ｒが溜まっている限り、表面層１から雨水Ｒが蒸発し続け該表面層１である保水構造体９を冷却するので、熱の放出がほとんどなくなり温度を下げることができる。
【００３７】
また、図７に示すように保水構造体９の一側端にＵ字状の側溝Ｓを付設する場合は、該側溝Ｓにおける保水構造体９側であって、透水性ブロック１０の裏面１０ｂに近寄らせて空間形成部材２ａにより形成される貯水空間部３と連通する通水孔１３が開設される。そこで、例えば大量の雨が降った場合、その雨水Ｒは貯水空間部３に貯留されることになるが、そこから溢れる雨水Ｒは通水孔１３を介して側溝Ｓに流れ込む。これにより、透水性ブロック１０の下側の貯水空間部３に貯留される雨水の量が一定に保たれ、透水性ブロック１０の表面１０ａが冠水するようなことはない。
【００３８】
図８は、他の実施の形態の保水構造体を用いた地中の保水構造の断面図を示す。なお図９も同様であるが、図８の場合は本発明と同一部位は同一番号を付して詳しい説明は省略する。この保水構造体９にあっては、空間形成部材２ａにおける凹窪部７の底面７ａがなく空間形成部材２ａがそれぞれ分割されている。このような保水構造体９であっても、本発明の目的は十分に達成できる。この場合、内側の両導水脚部６ｂ，６ｂの下端面が下地Ｈの表面に直接当接することになる。
【００３９】
図９は、他の地中の保水構造の断面図である。この他の地中の保水構造では、空間形成部材層２の空間形成部材２ａにおける各凹窪部７間であって、筒状空洞層部４の長手方向に対して直交する断面形状が蒲鉾状に形成され、それぞれの上面が弧面に形成されている。これにより、透水性アスファルトを打設して固まらせた後に、表面層１の裏面１ｂが空間形成部材２ａの各凹窪部７間でそれら表面に対応して凹弧面状に窪み、各凹窪部７に嵌まり込む導水脚部６はその基部側（上部側）が末広がり状に広がる。このようにして末広がりの形状を持つ導水脚部６であっても本発明の目的は十分に達成される。また図示は省略するが、前記図３乃至図６で示した保水構造体９と空間形成部材２ａについても、同様に例えば保水構造体９における空間形成部材２ａに凹窪部７を介して蒲鉾状の部分を一条、二条または三条といったように適宜設け、透水性ブロック１０の裏面１０ｂも前記空間形成部材２ａに対応させて導水脚部６を介し凹弧面を形成する。これによっても本発明の目的は十分に達成される。
【００４０】
前記いずれの実施の形態にあっても、表面層１の下方に雨水を貯留する空間形成部材層２が形成されていることから、例えば一定の敷地内に降った雨水の一部は前記空間形成部材層２に貯留されることになり、降った雨の全てが敷地外へ排出されることがないので、集中豪雨時の下水道や河川の雨水処理量が軽減されるという効果も有る。
【符号の説明】
【００４１】
１              表面層
１ａ            表面
１ｂ            裏面
２              空間形成部材層
３              貯水空間部
６（６ａ）      導水脚部
６（６ｂ）      導水脚部
７              凹窪部
１０            透水性ブロック
１０ｂ          裏面
２５ａ          太径モノフィラメント
２５ｂ          細径モノフィラメント
Ｒ              雨水
【図１】
2012184619.tif 000003
【図２】
2012184619.tif 000004
【図３】
2012184619.tif 000005
【図４】
2012184619.tif 000006
【図５】
2012184619.tif 000007
【図６】
2012184619.tif 000008
【図７】
2012184619.tif 000009
【図８】
2012184619.tif 000010
【図９】
2012184619.tif 000011
【図１０】
2012184619.tif 000012
【図１１】
2012184619.tif 000013